(57)【特許請求の範囲】
【請求項１】
電力線通信システムにおける通信装置であって、
前記電力線通信システムは複数の通信装置を有し、該複数の通信装置には、主局と複数の従局とが含まれ、主局と従局との間と、従局と従局との間は電源線によりディジーチェーン接続され、主局と従局は、該電源線に信号を重畳して送信し、
前記従局は、
当該従局と接続される主局又は従局との間を接続する電源線を分岐する分岐手段と、
該分岐手段により分岐された電源線に重畳される下りリンクの信号を分離する第１の分離手段と、
該第１の分離手段により分離された下りリンクの信号を復調する復調手段と、
当該従局と接続される従局との間を接続する電源線に重畳される上りリンクの信号を分離する第２の分離手段と、
前記復調手段により復調される下りリンクの信号に基づいて、当該従局と接続される従局に、該下りリンク信号を送信し、前記第２の分離手段により分離された上りリンクの信号の波形整形を行い、当該従局と接続される主局又は従局に送信する通信手段
を有することを特徴とする通信装置。
【請求項２】
請求項１に記載の通信装置において、
前記従局は、
前記主局により供給される電源により、駆動する電源手段と、
前記分岐手段により分岐された電源線に重畳された下りリンクの信号を遮断する信号遮断手段と
を有し、
前記電源手段は、前記信号遮断手段により下りリンクの信号が遮断された直流電圧により駆動することを特徴とする通信装置。
【請求項３】
請求項１又は２に記載の通信装置において、
前記従局は、
入力信号と出力信号との混信を防止する混信防止手段
を有することを特徴とする通信装置。
【請求項４】
複数の通信装置を有する電力線通信システムであって、
前記複数の通信装置には、主局と複数の従局とが含まれ、主局と従局との間と、従局と従局との間は電源線によりディジーチェーン接続され、主局と従局は、該電源線に信号を重畳して送信し、
前記従局は、
当該従局と接続される主局又は従局との間を接続する電源線を分岐する分岐手段と、
該分岐手段により分岐された電源線に重畳される下りリンクの信号を分離する第１の分離手段と、
該第１の分離手段により分離された下りリンクの信号を復調する復調手段と、
当該従局と接続される従局との間を接続する電源線に重畳される上りリンクの信号を分離する第２の分離手段と、
前記復調手段により復調される下りリンクの信号に基づいて、当該従局と接続される従局に、該下りリンク信号を送信し、前記第２の分離手段により分離された上りリンクの信号の波形整形を行い、当該従局と接続される主局又は従局に送信する通信手段
を有することを特徴とする電力線通信システム。
【請求項５】
請求項４に記載の電力線通信システムにおいて、
前記従局は、
前記主局により供給される電源により、駆動する電源手段と、
前記分岐手段により分岐された電源線に重畳された下りリンクの信号を遮断する信号遮断手段と
を有し、
前記電源手段は、前記信号遮断手段により下りリンクの信号が遮断された直流電圧により駆動することを特徴とする電力線通信システム。
【発明の詳細な説明】
【技術分野】
【０００１】
本発明は、車載ネットワークに関し、特に、主局と従局との間の通信方式に、電源線に信号を重畳して送信する電力線通信方式が適用される通信装置及び電力線通信システムに関する。
【背景技術】
【０００２】
車載電力線通信(PLC:  Power  Line  Communication)システムにおいて、電源重畳多重通信装置間の信号を中継する中継器が提案されている（例えば、特許文献１参照）。
【０００３】
この中継器では、電源ラインに信号を遮断するフィルタが設けられる。このようにすることにより、中継器は、直流電圧はそのまま中継するとともに、信号は中継器内で再生処理を行った後、再度電力線に重畳して伝送する。このようにして、中継処理が行われる。このような中継器を用いることにより、消費電力の増大、通信品質の低下を招くことなく、車両内での長距離通信が可能となる。
【特許文献１】特開２００４−９６６０２号公報
【発明の開示】
【発明が解決しようとする課題】
【０００４】
しかしながら、上述した背景技術には以下の問題がある。
【０００５】
車載電子機器の増大にともない、各電子機器間を接続する信号ライン、電源ラインなどのワイヤーハーネスが増加し、その配策が問題となっている。
【０００６】
配線数の削減のための方法の１つとして、電源ラインに信号を重畳して機器間の通信・制御を行う電力線通信システムがある。電力線通信システムでは、電源ラインを用いて信号のやり取りを行う。このため、主局と従局との間のトポロジは１対１もしくはバス型となる。配線数の削減という観点からは、１対１よりもバス型の方が好ましい。しかし、バス型の場合、信号からみた伝送路の状況はよくない。バスの支線による分岐はインピーダンス不整合をもたらし、信号品質を劣化させるためである。例えば、図１に示すように、主局と従局との間のトポロジをバス型に構成した電力線通信システムは、１つの主局と複数の従局により構成される。図１には、１つの主局２０と４つの従局１０（１０１、１０２、１０３、１０４）により構成される電力線通信システムが示される。また、図１には、主局２０により送信される信号波形、各分岐点において観測される信号波形及び従局１０４において観測される信号波形を示す。図１によれば、インピーダンス不整合による主局から従局への下りリンクの信号品質の劣化は、従局数が増加して分岐数が増加するほど顕著に表れることが分かる。その結果、インピーダンス不整合による主局から従局への下りリンクの信号品質の劣化による影響は、従局数が増加して分岐数が増加するほど顕著に表れることが分かる。
【０００７】
従局数が増加しても分岐による不整合の影響を受けない高品質な通信を実現するためには、分岐点の発生しないシステム構成とする必要があるが、主局と従局とが、１対複数である構成の電力線通信システムにおいて、分岐点での不整合を課題として、分岐を回避するための方法は示されていない。
【０００８】
本発明は、上述の点に鑑みてなされたものであり、主局と従局とが、１対複数である構成の電力線通信システムにおいて、インピーダンス不整合による影響を低減することができる通信装置及び電力線通信システムを提供することを目的とする。
【課題を解決するための手段】
【０００９】
上記課題を解決するため、この通信装置は、
電力線通信システムにおける通信装置であって、
前記電力線通信システムは複数の通信装置を有し、該複数の通信装置には、主局と複数の従局とが含まれ、主局と従局との間と、従局と従局との間は電源線によりディジーチェーン接続され、主局と従局は、該電源線に信号を重畳して送信し、
前記従局は、
当該従局と接続される主局又は従局との間を接続する電源線を分岐する分岐手段と、
該分岐手段により分岐された電源線に重畳される下りリンクの信号を分離する第１の分離手段と、
該第１の分離手段により分離された下りリンクの信号を復調する復調手段と、
当該従局と接続される従局との間を接続する電源線に重畳される上りリンクの信号を分離する第２の分離手段と、
前記復調手段により復調される下りリンクの信号に基づいて、当該従局と接続される従局に、該下りリンク信号を送信し、前記第２の分離手段により分離された上りリンクの信号の波形整形を行い、当該従局と接続される主局又は従局に送信する通信手段
を有する。
【００１０】
このように構成することにより、上りリンクの信号については、復調、誤り訂正を行わず、波形整形のみで、自従局に接続された従局又は主局に送信するため、上りリンクにおける伝送遅延時間を短縮できる。
【００１２】
このように構成することにより、通信装置内部における分岐点の数を減少させることができるため、復調手段に入力される信号の劣化を軽減できる。
【００１３】
さらに、別の構成では、
前記従局は、
前記主局により供給される電源により、駆動する電源手段と、
前記分岐手段により分岐された電源線に重畳された下りリンクの信号を遮断する信号遮断手段と
を有し、
前記電源手段は、前記信号遮断手段により下りリンクの信号が遮断された直流電圧により駆動する。
【００１４】
このように構成することにより、下りリンクの信号が遮断された直流電圧を電源手段に供給することができる。このため、通信装置内部における分岐点の数を減少させることができる。
【００１５】
さらに、別の構成では、
前記従局は、入力信号と出力信号との混信を防止する混信防止手段
を有するように構成される。
【００１６】
このように構成することにより、自従局への入力信号と、自従局からの出力信号との混信を防止できる。
【００１７】
この電力線通信システムは、
複数の通信装置を有する電力線通信システムであって、
前記複数の通信装置には、主局と複数の従局とが含まれ、主局と従局との間と、従局と従局との間は電源線によりディジーチェーン接続され、主局と従局は、該電源線に信号を重畳して送信し、
前記従局は、
当該従局と接続される主局又は従局との間を接続する電源線を分岐する分岐手段と、
該分岐手段により分岐された電源線に重畳される下りリンクの信号を分離する第１の分離手段と、
該第１の分離手段により分離された下りリンクの信号を復調する復調手段と、
当該従局と接続される従局との間を接続する電源線に重畳される上りリンクの信号を分離する第２の分離手段と、
前記復調手段により復調される下りリンクの信号に基づいて、当該従局と接続される従局に、該下りリンク信号を送信し、前記第２の分離手段により分離された上りリンクの信号の波形整形を行い、当該従局と接続される主局又は従局に送信する通信手段
を有する。
【００１８】
このように構成することにより、上りリンクの信号については、復調、誤り訂正を行わず、波形整形のみで、自従局に接続された従局又は主局に送信するため、上りリンクにおける伝送遅延時間を短縮できる。
【００２０】
このように構成することにより、通信装置内部における分岐点の数を減少させることができるため、復調手段に入力される下りリンクの信号の劣化を軽減できる。
【００２１】
さらに、別の構成では、
前記従局は、
前記主局により供給される電源により、駆動する電源手段と、
前記分岐手段により分岐された電源線に重畳された下りリンクの信号を遮断する信号遮断手段と
を有し、
前記電源手段は、前記信号遮断手段により下りリンクの信号が遮断された直流電圧により駆動する。
【００２２】
このように構成することにより、下りリンクの信号が遮断された直流電圧を電源手段に供給することができる。このため、電力線分岐点の数を減少させることができる。
【発明の効果】
【００２３】
開示の通信装置及び通信システムによれば、主局と従局とが、１対複数である構成の電力線通信システムにおいて、インピーダンス不整合による影響を低減することができる。
【発明を実施するための最良の形態】
【００２４】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２５】
（第１の実施例）
本発明の実施例に係る電力線通信システムについて、図２を参照して説明する。本実施例に係る電力線通信システムは、１つの主局２００と、複数の従局１００（１００１、１００２、１００３、１００４）とを有する。主局２００はマスター、従局１００はスレーブ又は中継器と呼ばれてもよい。また、電力線通信システムにより、車載カメラネットワークが構成されてもよい。本実施例においては、一例として、従局１００が４つの場合に説明するが、２、３及び５つ以上でも適用できる。電力線通信とは、電力配線を通信回線として利用する技術である。ＰＬＣ(Power  Line  Communication）、ＰＬＴ(Power  Line  Telecommunication)と呼ばれてもよい。
【００２６】
例えば、主局２００及び従局１００は、自動車内ＬＡＮの通信プロトコルに従って通信を行う通信装置に含まれるようにしてもよい。例えば、自動車内ＬＡＮの通信プロトコルとして、ＣＡＮ(Controller  Area  Network)が適用されるようにしてもよい。各通信装置は、例えば、自動車の各部を制御する複数の車載電子機器、例えば電子制御ユニット(ECU:  Electronic  Control  Unit)により構成されるようにしてもよい。この場合、例えば、主局２００と従局１００には直流電圧から電源ライン（電源線）及び接地線を介して電力が供給される。
【００２７】
また、電力線通信では、電源ラインに信号が重畳される。信号には、上りリンクの通信信号と下りリンクの通信信号とが含まれる。また、本実施例に係る電力線通信システムでは、主局２００と従局１００との間は、ディジーチェーン接続される。ディジーチェーン接続はカスケード接続と呼ばれてもよい。そして、主局２００から各従局１００へ、電源（直流電圧）及び通信信号が中継して伝送される。ディジーチェーン接続では、各従局１００は数珠つなぎに接続される。言い換えれば、各従局１００は、直列に一台ずつ順に接続される。該接続は、個別のケーブルで行われるようにしてもよい。
【００２８】
また、各従局１００は、主局２００により、電源ラインを用いて供給される直流電圧と、該電源ラインに重畳された下りリンクの通信信号とを分離する。そして、各従局１００は、分離した結果得られた直流電圧は、自従局１００の駆動用として使用する。また、各従局１００は、電源ラインを用いて供給された直流電圧と、該電源ラインに重畳された下りリンクの通信信号とを、自従局１００に接続された次の従局に伝送する。
【００２９】
また、各従局１００は、該電源ラインに重畳された通信信号の再生処理を行い、該通信信号が自従局宛の信号である場合には、該信号による指示に従って処理を行う。また、各従局１００は、該電源ラインに重畳された通信信号の再生処理を行い、該通信信号が自従局宛の信号でない場合には、該信号を電源ラインに再度重畳して、自従局１００に接続された主局２００又は次の従局１００に伝送する。
【００３０】
また、各従局１００は、電源ラインの入力と出力との間に、信号遮断素子を有するようにしてもよい。このように構成することにより、入力信号と出力信号との混信を低減することができる。
【００３１】
本実施例に係る電力線通信システムに含まれる主局２００及び従局１００の構成について、図３を参照して説明する。
【００３２】
本実施例に係る主局２００の構成について説明する。
【００３３】
主局２００は、処理部２０２を有する。処理部２０２は、各従局１００に送信する下りリンクの通信信号を生成する。処理部２０２は、生成した下りリンクの通信信号を後述する通信部２０４に入力する。また、処理部２０２は、通信部２０４により入力された上りリンクの通信信号に基づいて、所定の処理を行う。
【００３４】
主局２００は、通信部２０４を有する。通信部２０４は、処理部２０２により入力された下りリンクの通信信号を信号重畳／分離素子２０８を介して送信する。また、通信部２０４は、後述する信号重畳／分離素子２０８により入力された上りリンクの信号を処理部２０２に入力する。
【００３５】
主局２００は、電源供給部２０６を有する。電源供給部２０６は、自主局２００及び各従局１００を駆動する直流電圧を供給する。電源供給部２０６は、信号重畳／分離素子２０８に、該直流電圧を供給する。
【００３６】
主局２００は、信号重畳／分離素子２０８を有する。信号重畳／分離素子２０８は、通信部２０４により入力された下りリンクの通信信号と、電源供給部２０６により供給された直流電圧とを重畳し、該重畳された信号を従局１００１に伝送する。また、信号重畳／分離素子２０８は、接続された従局１００１により送信された上りリンクの通信信号を電源ラインから分離し、分離された上りリンクの通信信号を、通信部２０４を介して、処理部２０２に入力する。
【００３７】
本実施例に係る従局１００の構成について説明する。本実施例に係る電力線通信システムは、複数の従局を有するが、各従局は同様の構成である。
【００３８】
従局１００は、信号遮断手段としての信号遮断素子１０２を有する。信号遮断素子１０２は、図４に示すように、例えばインダクタ素子により構成される。信号遮断素子１０２は、入力された直流電圧と下りリンクの通信信号との重畳信号から下りリンクの通信信号を遮断して直流電圧を取り出し、電源部１０４に入力する。
【００３９】
従局１００は、電源手段としての電源部１０４を有する。電源部１０４は、信号遮断素子１０２により入力された直流電圧により、自従局を駆動する。
【００４０】
従局１００は、分離手段としての信号重畳／分離素子１０６を有する。信号重畳／分離素子１０６は、図４に示すように、例えばＤＣカットコンデンサにより構成される。信号重畳／分離素子１０６は、主局２００又は他の従局により入力された直流電圧と下りリンクの通信信号との重畳信号から下りリンクの通信信号を取り出し（分離し）、該下りリンクの通信信号を、通信部１０８を介して、処理部１１０に入力する。
【００４１】
従局１００は、通信手段としての通信部１０８を有する。通信部１０８は、信号重畳／分離素子１０６により入力された下りリンクの通信信号の波形処理を行い、処理部１１０に入力する。また、通信部１０８は、処理部１１０により入力された下りリンクの通信信号を信号重畳／分離素子１１２に入力する。また、通信部１０８は、入力された上りリンクの通信信号の波形整形を行い、処理部１１０に入力し、該処理部１１０により入力された誤り訂正が行われた上りリンクの通信信号を、信号重畳／分離素子１０６に入力する。
【００４２】
従局１００は、復調手段としての処理部１１０を有する。処理部１１０は、入力された下りリンクの通信信号の再生を行う。処理部１１０は、入力された下りリンクの通信信号が自局宛の信号である場合、その信号に含まれる命令に従った処理を行う。また、処理部１１０は、入力された下りリンクの通信信号が自局宛の信号でない場合、その下りリンクの信号を、通信部１０８を介して、他の局、例えば、接続された従局へ伝送する。
【００４３】
従局１００は、信号重畳／分離素子１１２を有する。信号重畳／分離素子１１２は、図４に示すように、例えばＤＣカットコンデンサにより構成される。信号重畳／分離素子１１２は、通信部１０８により入力された信号と、直流電圧とを重畳し、該重畳信号を他の接続された従局へ送信する。
【００４４】
従局１００は、混信防止手段としての信号遮断素子１１４を有する。信号遮断素子１１４は、図４に示すように、例えばインダクタ素子により構成される。信号遮断素子１１４は、自従局への入力信号と、自従局からの出力信号との混信を防止する。
【００４５】
次に、本実施例に係る電力線通信システムにおける通信方法について説明する。本実施例では、従局１００から主局２００へのアップリンクにおける信号の伝送について説明する。一例として、従局１００２から主局２００に信号が伝送される場合について説明する。他の従局から主局２００に信号が伝送される場合についても同様に適用できる。
【００４６】
従局１００２の処理部１１０は、主局２００へ送信する上りリンクの通信信号を生成する。従局１００２の処理部１１０は、生成した上りリンクの通信信号を通信部１０８に入力する。通信部１０８は処理部１１０により入力された上りリンクの通信信号を信号重畳／分離素子１０６に入力する。信号重畳／分離素子１０６は、通信部１０８により入力された上りリンクの通信信号と直流電圧とを重畳し、該重畳された信号を従局１００１に送信する。
【００４７】
従局１００１の信号重畳／分離素子１１２は、従局１００２により送信された上りリンクの通信信号と直流電圧とが重畳された信号から、上りリンクの通信信号を分離する。そして、信号重畳／分離素子１１２は、該上りリンクの通信信号を通信部１０８に入力する。通信部１０８は、入力された上りリンクの通信信号を処理部１１０に入力する。処理部１１０は、入力された上りリンクの通信信号の再生し、誤り訂正を行う。処理部１１０は、誤り訂正が行われた上りリンクの通信信号を通信部１０８に入力する。通信部１０８は処理部１１０により入力された誤り訂正が行われた上りリンクの通信信号を信号重畳／分離素子１０６に入力する。信号重畳／分離素子１０６は、通信部１０８により入力された訂正が行われた上りリンクの通信信号と直流電圧とを重畳し、該重畳された信号を主局２００に送信する。
【００４８】
本実施例によれば、１つの主局と複数の従局とを有する車載ネットワークにおいて、主局と従局との間の通信方式に、電源ラインに信号を重畳する電力線通信システムを適用する。また、該電力線通信システムでは、主局と各従局との間をディジーチェーン接続する。また、該電力線通信システムでは、電源は主局から各従局へ中継して伝送され、信号は各従局で再生され、次の接続された主局又は従局へ送信される。このように構成することにより、主局と従局との間の接続及び従局と従局との間の接続は、１対１での接続になるため、分岐点は発生しない。すなわち、ネットワーク上の信号分岐点の発生を無くすことができるため、インピーダンス不整合による影響を低減することができる。言い換えれば、ネットワーク上の分岐点により発生する信号劣化を低減できる。また、従局の数の増加に伴う通信品質の劣化も低減できる。
【００４９】
（第２の実施例）
本発明の他の実施例に係る電力線通信システムについて説明する。本実施例に係る電力線通信システムの構成は、図２を参照して説明した構成と同様である。また、本実施例に係る主局２００の構成は図３を参照して説明した構成と同様である。
【００５０】
本実施例に係る従局１００は、図３を参照して説明した従局１００において、通信部１０８に入力される通信信号の分岐数を減少させたものである。すなわち、従局１００の内部における分岐数を減少させる。具体的には、図５に示すように、電源部１０４に供給される直流電圧は、信号遮断素子１０２と信号遮断素子１１４との間の点から分岐して取り出される。信号遮断素子１０２と信号遮断素子１１４との間の電源ラインは、信号は重畳されない。すなわち、自従局以外の主局２００又は従局１００により入力された下りリンクの通信信号と直流電力とが重畳された重畳信号は、分岐手段としての分岐点Ｃにより分岐され、分岐された重畳信号は信号重畳／分離素子１０６及び信号遮断素子１０２に入力される。信号重畳／分離素子１０６は、入力された重畳信号に対して、下りリンクの通信信号を直流電力から分離する。そして、信号重畳／分離素子１０６は、分離した下りリンクの通信信号を通信部１０８に入力する。一方、信号遮断素子１０２は、入力された重畳信号から、下りリンクの通信信号を遮断する。下りリンクの通信信号が遮断された信号は電源部１０４に入力（供給）される。
【００５１】
上述した第１の実施例に係る電力線通信システムでは、図４に示すように、信号が重畳される電源ラインを分岐して、電源部１０４に供給される。すなわち、従局１００は、自従局以外の主局２００又は従局１００により入力された下りリンクの通信信号と直流電力とが重畳された重畳信号は、分岐点Ａにより分岐される。分岐された重畳信号の一方は信号遮断素子１０２に入力され、分岐された重畳信号の他方は、さらに分岐点Ｂにより分岐され、信号重畳／分離素子１０６に入力される。信号重畳／分離素子１０６は、入力された重畳信号に対して、下りリンクの通信信号を直流電力から分離する。そして、信号重畳／分離素子１０６は、分離した下りリンクの通信信号を通信部１０８に入力する。
【００５２】
このように、第１の実施例に係る従局１００では、通信部１０８には、分岐点Ａ及びＢの２回分岐された通信信号が入力される。しかし、本実施例に係る従局１００では、通信部１０８には、分岐点Ｃの１回分岐された信号が入力される。通信信号は、分岐されることにより、その信号が劣化する。本実施例に係る従局では、分岐点を減少させたことにより、分岐による信号劣化を軽減することができる。
【００５３】
（第３の実施例）
本発明の他の実施例に係る電力線通信システムについて説明する。本実施例に係る電力線通信システムの構成は、図２を参照して説明した構成と同様である。また、本実施例に係る主局２００の構成は図３を参照して説明した構成と同様である。
【００５４】
本実施例に係る従局１００は、図６に示すように、図３を参照して説明した従局１００において、通信部１０８は、他の従局から送信された上りリンクの通信信号に対し、波形整形を行い、接続された主局２００又は従局に送信する。すなわち、通信部１０８は、他の従局から送信された通信信号を処理部１１０に入力しない。言い換えれば、本実施例に係る従局１００は、他の従局により送信された上りリンクの通信信号の波形整形を行い、接続された主局２００又は従局１００に送信する。ここで、波形整形には、信号の増幅が含まれる。
【００５５】
上述した実施例に係る電力線通信システムでは、図６の破線で示すように、各従局１００は、他の従局により送信された上りリンクの通信信号の復調及び誤り訂正を行い、主局２００又は従局１００に送信する場合について説明した。すなわち、図７に示すように、上りリンクの信号であっても、処理部１１０により復調・誤り訂正が行われる。
【００５６】
本実施例に係る電力線通信システムでは、図６の実線で示すように、各従局は、他の従局により送信された上りリンクの通信信号の波形整形を行い、主局２００又は従局１００に送信する。すなわち、図７に示すように、上りリンクの信号に対しては、処理部１１０により復調・誤り訂正が行われず、通信部１０８により増幅が行われるだけで、主局２００又は従局１００に送信される。
【００５７】
主局２００から従局１００へ信号が送信される下りリンクでは、各従局は自従局宛の信号か否かを判断するために、主局２００により送信された下りリンクの通信信号を各従局で復調する必要がある。しかし、従局１００から主局２００へ信号が送信される上りリンクでは、各従局２００から送信された信号は、全て主局２００宛の信号であるため、該信号を中継する従局では、信号の復調を行う必要はなく、波形整形を行うだけでよい。
【００５８】
本実施例によれば、各従局において復調処理が行われないため、上りリンクにおける伝送遅延を低減できる。
【００５９】
説明の便宜上、発明の理解を促すため具体的な数値例を用いて説明されるが、特に断りのない限り、それらの数値は単なる一例に過ぎず適切な如何なる値が使用されてよい。
【００６０】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００６１】
【図１】電力線通信システムの一例を示す説明図である。
【図２】本発明の一実施例に係る電力線通信システムの一例を示す説明図である。
【図３】本発明の一実施例に係る主局及び従局を示す部分ブロック図である。
【図４】本発明の一実施例に係る従局を示す部分ブロック図である。
【図５】本発明の一実施例に係る従局を示す部分ブロック図である。
【図６】本発明の一実施例に係る電力線通信システムの一例を示す説明図である。
【図７】本発明の一実施例に係る従局における処理を示す説明図である。
【符号の説明】
【００６２】
１０（１０１、１０２、１０３、１０４）  従局
２０  主局
１００（１００１、１００２、１００３、１００４）  従局
１０２  信号遮断素子
１０４  電源部
１０６  信号重畳／分離素子
１０８  通信部
１１０  処理部
１１２  信号重畳／分離素子
１１４  信号遮断素子
２００  主局
２０２  処理部
２０４  通信部
２０６  電源供給部
２０８  信号重畳／分離素子
【図１】
0004946855.tif 000002
【図２】
0004946855.tif 000003
【図４】
0004946855.tif 000004
【図５】
0004946855.tif 000005
【図７】
0004946855.tif 000006
【図３】
0004946855.tif 000007
【図６】
0004946855.tif 000008